(57)【要約】【課題】土壌面積に対する散湯ホースの本数を低減し、散湯ホースの設置作業、及び土壌消毒終了後の除去作業が迅速にかつ小労力で行えるようにする。【解決手段】多数の噴出孔（１１ａ）を有する散湯ホース（１１）を延長させて消毒すべき土壌（１０）の表面（１０ａ）に載置し、各散湯ホース（１１）を含む土壌表面（１０ａ）をシート（１４）により被覆するとともに、該シート（１４）の内周部を前記散湯ホース（１１）から噴出する熱水（１８）の大部分が接触しない位置まで上昇させ、この状態で前記散湯ホース（１１）から熱水（１８）を噴出させて前記土壌（１０）内に熱水（１８）を浸透させ、該土壌（１０）の所定上層部を作物病原菌の死滅温度以上に上昇させる。【選択図】図２
2005087168.tif 000002
【特許請求の範囲】
【請求項１】
多数の噴出孔（１１ａ）を有する散湯ホース（１１）を延長させて消毒すべき土壌（１０）の表面（１０ａ）に載置し、各散湯ホース（１１）を含む土壌表面（１０ａ）をシート（１４）により被覆するとともに、該シート（１４）の内周部を前記散湯ホース（１１）から噴出する熱水（１８）の大部分が接触しない位置まで上昇させ、この状態で前記散湯ホース（１１）から熱水（１８）を噴出させて前記土壌（１０）内に熱水（１８）を浸透させ、該土壌（１０）の所定上層部を作物病原菌の死滅温度以上に上昇させることを特徴とする土壌の熱水加熱消毒方法。
【請求項２】
多数の噴出孔（１１ａ）を有する散湯ホース（１１）を延長させて消毒すべき土壌（１０）の表面（１０ａ）に載置し、各散湯ホース（１１）を含む土壌表面（１０ａ）を非通気性のシート（１４）により被覆するとともに、該シート（１４）の外周部を錘（１５）により土壌（１０）の表面（１０ａ）に密着させ、次いで送風機（１７）により前記シート（１４）内に空気を圧送して該シート（１４）の内周部を前記散湯ホース（１１）から噴出する熱水（１８）の大部分が接触しない位置まで上方に膨らませ、この状態で前記散湯ホース（１１）から熱水（１８）を噴出させて前記土壌（１０）内に熱水（１８）を浸透させ、該土壌（１０）の所定上層部を作物病原菌の死滅温度以上に上昇させることを特徴とする土壌の熱水加熱消毒方法。
【請求項３】
非通気性のシート（１４）内に空気を圧送する送風機（１７）は、散湯ホース（１１）から熱水（１８）が噴出される初期時点で停止させることを特徴とする請求項２記載の土壌の熱水加熱消毒方法。
【発明の詳細な説明】
【技術分野】
【０００１】
本発明は、土壌を熱水により加熱して園芸作物の病原菌を死滅させる土壌の熱水加熱消毒方法に関するものである。
【背景技術】
【０００２】
従来の技術として、図４、図５に示すものがあった。図４、図５において、１は土壌であり、消毒を対象とする土壌１の面積は、長さＬが約５０ｍ、幅Ｗが約６ｍとなっている。該土壌１の表面１ａに、１０本の散湯ホース２を上記土壌１の長手方向全長に亘って延長させるとともに、幅方向に２５ｃｍ〜３０ｃｍの間隔Ｐで並列に載置する。各散湯ホース２は上半部側に多数の噴出孔２ａが形成され、図４において右端部を閉塞し、左端部を横方向に延びる分岐ヘッダー３に並列接続する。この分岐ヘッダー３は供給ホース４を介してボイラー５に接続される。
【０００３】
次いで、ポリエチレン製又はビニール製のシート６を土壌１の表面１ａに沿って張り、上記各散湯ホース２、分岐ヘッダー３を含む土壌１の表面１ａを覆う。この状態で上記ボイラー５を起動させ、該ボイラー５から約８０℃〜９０℃の熱水を供給ホース４、分岐ヘッダー３を介して各散湯ホース２に供給し、各散湯ホース２の噴出孔２ａから熱水を噴出させ、該熱水を土壌表面から土壌１中に順次浸透させる。そして、土壌１の表面１ａから下方２０〜３０ｃｍ深さ位置の土壌温度が５５℃以上になった時点で上記ボイラー５を停止し、各散湯ホース２による熱水の噴出を停止する。
【特許文献１】特公平７−６３２８０号公報
【発明の開示】
【発明が解決しようとする課題】
【０００４】
上記従来のものは、土壌１の表面１ａに沿って張ったシート６内に散湯ホース２を小間隔で並列に載置するようにしていたので、多数の散湯ホース２を必要とし、これの設置作業、及び土壌消毒終了後の除去作業に多大の手数を要するものであった。本発明は、土壌面積に対する散湯ホースの本数を極力少なくすることにより、上記不具合を解消した新規な土壌の熱水加熱消毒方法を得ることを目的とする。
【課題を解決するための手段】
【０００５】
本発明は上記目的を達成するために、以下の如く構成したものである。即ち、請求項１に係る発明は、多数の噴出孔を有する散湯ホースを延長させて消毒すべき土壌の表面に載置し、各散湯ホースを含む土壌表面をシートにより被覆するとともに、該シートの内周部を前記散湯ホースから噴出する熱水の大部分が接触しない位置まで上昇させ、この状態で前記散湯ホースから熱水を噴出させて前記土壌内に熱水を浸透させ、該土壌の所定上層部を作物病原菌の死滅温度以上に上昇させる構成にしたものである。
請求項２に係る発明は、多数の噴出孔を有する散湯ホースを延長させて消毒すべき土壌の表面に載置し、各散湯ホースを含む土壌表面を非通気性のシートにより被覆するとともに、該シートの外周部を錘により土壌の表面に密着させ、次いで送風機により前記シート内に空気を圧送して該シートの内周部を前記散湯ホースから噴出する熱水の大部分が接触しない位置まで上方に膨らませ、この状態で前記散湯ホースから熱水を噴出させて前記土壌内に熱水を浸透させ、該土壌の所定上層部を作物病原菌の死滅温度以上に上昇させる構成にしたものである。
請求項３に係る発明は、前記非通気性のシート内に空気を圧送する送風機は、散湯ホースから熱水が噴出される初期時点で停止させるようにしたものである。
【発明の効果】
【０００６】
本発明の請求項１に係る発明は、土壌の表面を覆うシートの内周部を散湯ホースから噴出する熱水の大部分が接触しない位置まで上昇させるようにしたので、散湯ホースから噴出する熱水は放物線状となって噴出し、広範囲の土壌表面に略均一に散布されることになる。これにより、土壌面積に対する散湯ホースの本数を低減させることができる。
請求項２に係る発明は、送風機によりシート内に空気を圧送して、該シートの内周部を散湯ホースから噴出する熱水の大部分が接触しない位置まで上方に膨らませるようにしたので、シートの内周部を、労力を要することなく迅速に上昇させることができる。
請求項３に係る発明は、前記シート内に空気を圧送する送風機を、散湯ホースから熱水が噴出される初期時点で停止させるようにしたので、シート内が外気によって冷却されなくなるとともに、送風機の消費電力が低減することになる。この場合、送風機が停止した後のシート内の空気は熱水により加熱されて膨張し、内圧によってシートの内周部を安定して持ち上げることになる。
【発明を実施するための最良の形態】
【０００７】
以下本発明を図に基づいて説明する。図において、図１は本発明の第１実施例を示す平面図、図２は図１のII-II線による拡大断面図、図３は本発明の第２実施例を示す図２相当の要部拡大断面図である。
【０００８】
図１、図２において、１０は土壌であり、消毒を対象とする土壌１０の面積は、前述した従来と同様に、長さＬが約５０ｍ、幅Ｗが約６ｍとなっている。なお、この消毒を対象とする土壌１０の面積は温室ハウスの大きさ、作物の種類等によって適宜設定される。上記土壌１０の表面１０ａ中心部に、１本の散湯ホース１１を上記土壌１０の長手方向全長に亘って延長させ、図１において右端部を閉塞し、左端部は供給ホース１２を介してボイラー１３に接続する。上記散湯ホース１１は、その上半部側に多数の噴出孔１１ａが放射状にかつ長手方向に所定ピッチで形成されている。
【０００９】
上記散湯ホース１１を含む土壌１０の表面１０ａをポリエチレンシート又はビニールシートからなる非通気性のシート１４により覆い、該シート１４の周縁部に水枕用のダクト１５（錘）を延長載置し、該ダクト１５内に錘用の水を充填する。また、上記シート１４の上面全面を軽量の保温シート１６により覆う。次いで、上記シート１４の一端部、本例では左端部に送風機１７を配置し、該送風機１７の吐出側に接続した送風ダクト１７ａを上記シート１４の左端部に挿通する。
【００１０】
次いで、上記送風機１７を起動させ、送風ダクト１７ａを介して上記シート１４内に空気（外気）を圧送し、該シート１４の内周部を円弧状に膨らませる。この内周部の膨らみ量は、図２に示すように、上記散湯ホース１１から噴出する熱水１８が接触しない膨らみ量とする。この場合、上記散湯ホース１１に形成する各噴出孔１１ａの位置及び孔径は、図２に示すように、熱水１８が散湯ホース１１を中心として左右にそれぞれ約３ｍの範囲で円弧状に噴出するように設定されている。
【００１１】
この状態で上記ボイラー１３を起動させ、該ボイラー１３から約８０℃〜９０℃の熱水１８を供給ホース１２を介して散湯ホース１１に供給し、該散湯ホース１１の噴出孔１１ａから熱水１８を噴出させる。また、この熱水１８が噴出する初期時点で上記送風機１７を停止させる。上記散湯ホース１１の噴出孔１１ａから熱水１８を噴出させる時間は、土壌１０の表面１０ａから下方２０〜３０ｃｍ深さ位置の土壌上層部の温度が作物病原菌の死滅温度、本例では５５℃以上になるまでとする。なお、上記シート１４の内周部は、土壌１０に桟部材を弓形に湾曲させて長手方向に所定ピッチで植設し、この桟部材により上方に持ち上げるようにしてもよい。
【００１２】
図３は本発明の第２実施例を示す。図３において、１０は消毒を対象とする土壌であり、その面積は、前述と同様となっている。上記土壌１０の表面１０ａ中心部に、２本の散湯ホース１１，１１を、幅方向の間隔Ｐ１が約３ｍとなるように離間させて上記土壌１０の長手方向全長に亘って延長配置し、その一端部を閉塞し、他端部を前述したボイラー１３に接続する。上記各散湯ホース１１の上半部側に形成する各噴出孔１１ａの位置及び孔径は、図３に示すように、熱水１８が各散湯ホース１１を中心として左右にそれぞれ約１．５ｍの範囲で円弧状に噴出するように設定されている。その他は前述した第１実施例と略同様の構成となっている。
【００１３】
上記実施例によれば、土壌１０の表面１０ａを覆うシート１４の内周部を散湯ホース１１から噴出する熱水１８の大部分が接触しない位置まで上昇させるようにしたので、散湯ホース１１の噴出孔１１ａから噴出する熱水１８は、障害物に衝突することなく放物線状に噴出し、広範囲の土壌表面１０ａに略均一に散布されることになる。これにより、土壌面積に対する散湯ホース１１の本数が低減し、これの設置作業、及び土壌消毒終了後の除去作業が迅速にかつ小労力で行えることになる。
【００１４】
また、上記シート１４の内周部を、送風機１７による空気圧で上方に膨らませるようにしたので、シート１４の内周部を労力を要することなく迅速に所定位置まで上昇させることができる。さらに、シート１４内に空気を圧送する送風機１７は、散湯ホース１１から熱水１８が噴出される初期時点で停止させるようにしたので、シート１４内が外気によって冷却されなくなるとともに、送風機１７の消費電力が低減することになる。
【図面の簡単な説明】
【００１５】
【図１】本発明の第１実施例を示す平面図である。
【図２】図１のII-II線による拡大断面図である。
【図３】本発明の第２実施例を示す図２相当の拡大断面図である。
【図４】従来例を示す平面図である。
【図５】図４のV-V線による要部拡大断面である。
【符号の説明】
【００１６】
１０    土壌
１０ａ  表面
１１    散湯ホース
１１ａ  噴出孔
１２    供給ホース
１３    ボイラー
１４    シート
１５    水枕用ダクト（錘）
１６    保温シート
１７    送風機
１７ａ  送風ダクト
１８    熱水
【図１】
2005087168.tif 000003
【図２】
2005087168.tif 000004
【図３】
2005087168.tif 000005
【図４】
2005087168.tif 000006
【図５】
2005087168.tif 000007